(57)【要約】【課題】フォーミングの発生を低減して商品の品質低下を抑制すること。【解決手段】前面に開口する商品取出口１４を後方側から臨む態様で設けられ、機内から搬出された商品Ｗを受け止めるための商品受け箱２１を備えた自動販売機の商品取出装置２０において、商品受け箱２１は、該商品受け箱２１の底部２１１に上面である載置面２３１ａが近接離反する態様で弾性変形可能に設けられ、かつ該載置面２３１ａにて商品Ｗを載置させる商品載置部２３を備えている。【選択図】図２
2019175199.tif 000002
【特許請求の範囲】
【請求項１】
前面に開口する商品取出口を後方側から臨む態様で設けられ、機内から搬出された商品を受け止めるための商品受け箱を備えた自動販売機の商品取出装置において、
前記商品受け箱は、該商品受け箱の底部に上面である載置面が近接離反する態様で弾性変形可能に設けられ、かつ該載置面にて前記商品を載置させる商品載置部を備えたことを特徴とする自動販売機の商品取出装置。
【請求項２】
前記商品載置部は、前記載置面を有する基部の前端縁部より後方に向けて漸次下方に傾斜する傾斜下延部が前記底部の上面に第１締結部材を介して締結され、かつ前記基部の後端縁部より下方に向けて延在する下延部が前記底部に形成された孔部を貫通し、更に前記下延部の下端縁部より前方に向けて延在する前延部が前記底部の下面に第２締結部材を介して締結されて該底部に設けられたことを特徴とする請求項１に記載の自動販売機の商品取出装置。
【請求項３】
前記底部と前記商品載置部との間に介在し、前記商品載置部が弾性変形する場合には追従して弾性変形する弾性体を備えたことを特徴とする請求項２に記載の自動販売機の商品取出装置。
【請求項４】
前記弾性体は、直方状の形態をなし、かつ下面が前記底部の上面に接着して上面が前記基部の下面に当接するクッション材により構成されたことを特徴とする請求項３に記載の自動販売機の商品取出装置。
【請求項５】
前記クッション材は、軟質発泡ポリエチレンにより形成されたことを特徴とする請求項４に記載の自動販売機の商品取出装置。
【請求項６】
前記商品載置部は、帯電防止機能を有する樹脂材により構成されたことを特徴とする請求項１〜５のいずれか１つに記載の自動販売機の商品取出装置。
【発明の詳細な説明】
【技術分野】
【０００１】
本発明は、自動販売機の商品取出装置に関し、より詳細には、例えば缶入り飲料、瓶入り飲料及びペットボトル入り飲料等の各種商品を販売する自動販売機に適用される商品取出装置に関するものである。
【背景技術】
【０００２】
例えば缶入り飲料、瓶入り飲料及びペットボトル入り飲料等の各種商品を収納して販売する自動販売機の商品取出装置としては、自動販売機の前面に開口する商品取出口を後方側から臨む態様で、機内から搬出された商品を受け止めるための商品受け箱を備えたものが一般的である。
【０００３】
このような商品取出装置においては、商品受け箱の底面において、商品を落下衝撃から保護するための樹脂製のクッションシートが敷設されたものが提案されている（例えば、特許文献１参照）。
【先行技術文献】
【特許文献】
【０００４】
【特許文献１】特開平８−３１５２３０号公報
【発明の概要】
【発明が解決しようとする課題】
【０００５】
ところで、上述した商品取出装置では次のような問題があった。近年の販売商品の多様化等により炭酸を比較的多量に含んだ強炭酸飲料が商品として販売されている。このような強炭酸飲料の商品が搬出されてクッションシートに落下すると、クッションシートでは緩衝性能が十分に発揮されず、その落下衝撃により飲料が泡立ってフォーミングが発生して商品の品質低下を招来する虞れがあった。
【０００６】
本発明は、上記実情に鑑みて、フォーミングの発生を低減して商品の品質低下を抑制することができる自動販売機の商品取出装置の提供を目的とする。
【課題を解決するための手段】
【０００７】
上記目的を達成するために、本発明に係る自動販売機の商品取出装置は、前面に開口する商品取出口を後方側から臨む態様で設けられ、機内から搬出された商品を受け止めるための商品受け箱を備えた自動販売機の商品取出装置において、前記商品受け箱は、該商品受け箱の底部に上面である載置面が近接離反する態様で弾性変形可能に設けられ、かつ該載置面にて前記商品を載置させる商品載置部を備えたことを特徴とする。
【０００８】
また本発明は、上記自動販売機の商品取出装置において、前記商品載置部は、前記載置面を有する基部の前端縁部より後方に向けて漸次下方に傾斜する傾斜下延部が前記底部の上面に第１締結部材を介して締結され、かつ前記基部の後端縁部より下方に向けて延在する下延部が前記底部に形成された孔部を貫通し、更に前記下延部の下端縁部より前方に向けて延在する前延部が前記底部の下面に第２締結部材を介して締結されて該底部に設けられたことを特徴とする。
【０００９】
また本発明は、上記自動販売機の商品取出装置において、前記底部と前記商品載置部との間に介在し、前記商品載置部が弾性変形する場合には追従して弾性変形する弾性体を備えたことを特徴とする。
【００１０】
また本発明は、上記自動販売機の商品取出装置において、前記弾性体は、直方状の形態をなし、かつ下面が前記底部の上面に接着して上面が前記基部の下面に当接するクッション材により構成されたことを特徴とする。
【００１１】
また本発明は、上記自動販売機の商品取出装置において、前記クッション材は、軟質発泡ポリエチレンにより形成されたことを特徴とする。
【００１２】
また本発明は、上記自動販売機の商品取出装置において、前記商品載置部は、帯電防止機能を有する樹脂材により構成されたことを特徴とする。
【発明の効果】
【００１３】
本発明によれば、上面である載置面にて商品を載置させる商品載置部が、商品受け箱の底部に載置面が近接離反する態様で弾性変形可能に設けられているので、機内より搬出された商品の落下衝撃を十分に吸収することができ、過剰なフォーミングの発生を低減して商品の品質低下を抑制することができるという効果を奏する。
【図面の簡単な説明】
【００１４】
【図１】図１は、本発明の実施の形態である商品取出装置が適用された自動販売機を示す正面図である。
【図２】図２は、図１に示した自動販売機の要部を拡大して示す断面側面図である。
【図３】図３は、図２に示した商品取出装置の要部を拡大して示す断面側面図である。
【図４】図４は、図２及び図３に示した商品載置部を示す斜視図である。
【図５】図５は、図２及び図３に示した商品取出装置の要部を示す斜視図である。
【図６】図６は、図２及び図３に示した商品取出装置の要部を示す斜視図である。
【図７】図７は、商品受け箱に商品が搬出された状態を示す断面側面図である。
【発明を実施するための形態】
【００１５】
以下に添付図面を参照して、本発明に係る自動販売機の商品取出装置の好適な実施の形態について詳細に説明する。
【００１６】
図１は、本発明の実施の形態である商品取出装置が適用された自動販売機を示す正面図であり、図２は、図１に示した自動販売機の要部を拡大して示す拡大断面側面図である。ここで例示する自動販売機は、例えば缶入り飲料やペットボトル入り飲料等の商品を販売するためのもので、本体キャビネット１及び商品取出装置２０を備えて構成してある。
【００１７】
本体キャビネット１は、前面に開口を有した直方状の断熱筐体として形成したものであり、その内部には複数の独立した商品収容庫３が左右に並設してある。これら商品収容庫３は、商品Ｗを所望の温度に維持した状態で収容するためのものである。各商品収容庫３には、商品Ｗを収納する商品収納ラック４が配設してある一方、シュータ５によって区画される下方部に熱交換器（図示せず）が配設してあり、該熱交換器の駆動により、商品収納ラック４に収納した商品Ｗを所望の冷却温度、あるいは加熱温度に維持することが可能である。
【００１８】
上記自動販売機には、本体キャビネット１の一側縁部に扉体６を設けてある。扉体６は、内扉６ａと外扉６ｂとを備えて構成してある。内扉６ａは、本体キャビネット１に設けた商品収容庫３の前面を覆うに十分な大きさを有したものである。この内扉６ａの下方側には、シュータ５を通じて搬出された商品Ｗの搬出口７が設けてあり、各搬出口７には、該搬出口７を開閉するための商品払出扉８が設けてある。
【００１９】
外扉６ｂは、本体キャビネット１の前面開口を覆うに十分な大きさを有したものである。この外扉６ｂには、その前面側に、商品選択ボタン９、硬貨投入口１０、紙幣挿入口１１、一体表示器１２、硬貨返却口１３、商品取出口１４が設けてある。一方、外扉６ｂの後面側には、図には明示しないが、硬貨処理機、硬貨回収箱、紙幣処理機が設けてある。
【００２０】
商品選択ボタン９は、利用者が購入商品を選択するための押ボタンスイッチである。硬貨投入口１０は、利用者が硬貨を投入するための開口である。この硬貨投入口１０を通じて投入された硬貨は、硬貨処理機においてその金種が識別され、その後、硬貨回収箱に収容されることになる。紙幣挿入口１１は、利用者が紙幣を挿入するための開口である。この紙幣挿入口１１を通じて挿入された紙幣は、紙幣処理機においてその金種が識別されることになる。また上記紙幣挿入口１１は、紙幣処理機において識別できなかった紙幣を返却するための機能を有している。一体表示器１２は、貨幣の投入金額、販売中であるか否か、釣銭があるか否か等、各種情報を利用者に表示するためのものである。硬貨返却口１３は、硬貨処理機において識別できなかった硬貨、あるいは釣銭となる硬貨を利用者に返却するための開口である。商品取出口１４は、商品収納ラック４から搬出された商品Ｗを利用者が取り出すための開口である。この商品取出口１４には、該商品取出口１４を開閉するための商品取出扉１５が設けてある。
【００２１】
商品取出装置２０は、外扉６ｂの商品取出口１４の後方側に設けてあり、商品受け箱２１を備えている。商品受け箱２１は、商品取出口１４を後方側から臨む態様で配設してあり、商品収納ラック４から搬出機構４ａ及びシュータ５を通じて搬出された商品Ｗを受け止めるためのものである。この商品受け箱２１は、底部２１１と、天板２１２と、左右一対の側板２１３とから構成してある。
【００２２】
底部２１１は、板金を加工して成形したものであり、商品取出口１４よりも下方側において左右方向に沿って延在する態様で設けてある。この底部２１１は、図３にも拡大して示すように、前端部分が商品取出口１４の下縁部分に取り付けてあり、該前端部分の上端部分より後方に向かうに連れて漸次下方に傾斜した後に後方に向かうに連れて漸次上方に傾斜する船底型の形態をなしている。
【００２３】
天板２１２は、板金を加工して成形したものであり、底部２１１の上方域にて左右方向に沿って延在する態様で設けてある。かかる天板２１２は、商品取出口１４の上縁部分に取り付けてある。左右一対の側板２１３は、それぞれ板金を加工して成形してあり、互いの内面同士が対向する態様で底部２１１及び天板２１２の両端部を連結している。
【００２４】
このような商品受け箱２１は、フラッパ部材２２、商品載置部２３及び商品当接部２４を備えている。フラッパ部材２２は、商品受け箱２１の内部における一対の側板２１３の間において、前後方向に沿って揺動自在に配設してある。かかるフラッパ部材２２の先端部分の折曲部２２１の後面にはフラッパ用クッション材２２２が貼付してある。かかるフラッパ用クッション材２２２は、例えば軟質発泡ポリエチレン等の樹脂材により形成されている。
【００２５】
商品載置部２３は、帯電防止機能を有する樹脂材により構成してある。より詳細には、帯電防止材を含有させた厚さが例えば０．５ｍｍ程度の高密度ポリエチレンの樹脂製シートを屈曲等して、図４に示すように、基部２３１と、傾斜下延部２３２と、下延部２３３と、前延部２３４とを一体に成形して構成してある。
【００２６】
基部２３１は、左右方向の長さが上記底部２１１の左右方向の長さと略同一であり、前方に向かうに連れて漸次下方に傾斜する板状部分である。この基部２３１の上面は、商品Ｗを載置する載置面２３１ａを構成している。傾斜下延部２３２は、基部２３１の前端縁部より後方に向かうに連れて漸次下方に傾斜する部分である。尚、傾斜下延部２３２は、切欠が適宜形成されることで、左右方向に複数に分割されている。下延部２３３は、複数（図示の例では３つ）設けてあり、それぞれが基部２３１の後端縁部より下方に向けて延在する部分である。前延部２３４は、各下延部２３３の下端縁部より前方に向けて延在する部分である。
【００２７】
そのような商品載置部２３は、図５及び図６に示すように、傾斜下延部２３２に形成された貫通孔２３２ａ（図４参照）を貫通するネジやリベット等の第１締結部材３１を介して該傾斜下延部２３２が底部２１１の上面に締結されるとともに、底部２１１に形成された孔部２１１ａを下延部２３３が貫通する状態で前延部２３４に形成された貫通孔２３４ａ（図４参照）を貫通するネジやリベット等の第２締結部材３２を介して該前延部２３４が底部２１１の下面に締結されることにより底部２１１に設けられている。つまり、商品載置部２３は、載置面２３１ａが底部２１１に対して近接離反する態様で弾性変形可能に設けてある。
【００２８】
かかる商品載置部２３と底部２１１との間にはクッション材４０が設けてある。クッション材４０は、複数設けてあり、それぞれが直方状の形態をなしている。これらクッション材４０は、軟質発泡ポリエチレンにより形成されており、下面が底部２１１の上面に接着され、上面が基部２３１の下面に当接している。
【００２９】
商品当接部２４は、板金を加工して成形したものであり、上記商品載置部２３の傾斜下延部２３２と上記底部２１１との間にて第１締結部材３１により締結される当接基端部２４１と、この当接基端部２４１の前端部より上方に向けて延在する当接上延部２４２とを一体に成形して構成してある。かかる商品当接部２４では、当接上延部２４２が商品取出口１４の下縁部分の後方側に配置されつつ商品載置部２３の載置面２３１ａの前端部分よりも上方に突出している。この当接上延部２４２の後面には、当接用クッション材２４３が貼付してある。当接用クッション材２４３は、例えば軟質発泡ポリエチレン等の樹脂材により形成されている。
【００３０】
以上説明したような商品取出装置２０においては、商品収納ラック４に収納された商品Ｗが搬出機構４ａ及びシュータ５を通じて搬出口７より搬出された場合、商品載置部２３の載置面２３１ａに落下する。この場合、図７に示すように、クッション材４０が弾性変形しつつ載置面２３１ａが底部２１１に近接する態様で商品載置部２３が弾性変形する。これにより商品Ｗに与える落下衝撃を緩和することができる。その後、クッション材４０及び商品載置部２３は、それぞれの復元力により元の状態に復帰する。このようにして商品載置部２３に載置された商品Ｗは、載置面２３１ａ（基部２３１）の傾斜に従って前方に転動し、商品当接部２４の当接上延部２４２の後面に貼付された当接用クッション材２４３に当接する。そして、商品Ｗは、商品取出扉１５が開く方向に揺動して開成された商品取出口１４を通じて取り出されることになる。
【００３１】
以上説明したように、本発明の実施の形態に係る自動販売機の商品取出装置２０によれば、上面である載置面２３１ａで商品Ｗを載置させる商品載置部２３が、該商品受け箱２１の底部２１１に載置面２３１ａが近接離反する態様で弾性変形可能に設けられているので、搬出された商品Ｗの落下衝撃を十分に吸収することができ、過剰なフォーミングの発生を低減して商品Ｗの品質低下を抑制することができる。
【００３２】
特に、底部２１１と商品載置部２３との間に介在するクッション材４０が、商品載置部２３が弾性変形する場合には追従して弾性変形するので、該クッション材４０でも商品Ｗの落下衝撃を吸収することができ、商品載置部２３の経時的劣化を抑制して使用寿命の長大化を図ることができる。
【００３３】
上記商品取出装置２０によれば、商品載置部２３は、傾斜下延部２３２が第１締結部材３１を介して底部２１１の上面に締結されているだけでなく、前延部２３４が第２締結部材３２を介して底部２１１の下面に締結されているので、開成された商品取出口１４から挿入された手指により商品載置部２３が商品受け箱２１から取り外されることを防止することができる。
【００３４】
上記商品取出装置２０によれば、商品載置部２３は、帯電防止材を含有させた高密度ポリエチレンの樹脂製シートを屈曲等することで帯電防止機能を有する樹脂材により構成してあるので、商品Ｗの容器が損傷してしまうことを防止するとともに、静電気の作用により塵等の異物が付着してしまうことを抑制することができる。
【００３５】
上記商品取出装置２０によれば、商品当接部２４の当接上延部２４２の後面に当接用クッション材２４３が貼付してあるので、該当接用クッション材２４３が、商品載置部２３の載置面２３１ａを転動する商品Ｗに当接された場合に、弾性変形することにより、商品Ｗの容器の損傷を防止しつつ、過剰なフォーミングの発生を低減して商品Ｗの品質低下を抑制することができる。
【００３６】
以上、本発明の好適な実施の形態について説明したが、本発明はこれに限定されずに種々の変更を行うことができる。
【００３７】
上述した実施の形態では、商品載置部２３と底部２１１との間にクッション材４０が介在していたが、本発明においては、商品載置部２３の強度が十分に確保されていれば、クッション材４０が介在していなくてもよい。
【００３８】
上述した実施の形態では、商品載置部２３と底部２１１との間にクッション材４０が介在していたが、本発明においては、クッション材４０に限られず、バネ等の弾性体を介在してもよい。
【符号の説明】
【００３９】
１  本体キャビネット
４  商品収納ラック
１４  商品取出口
２０  商品取出装置
２１  商品受け箱
２１１  底部
２１２  天板
２１３  側板
２３  商品載置部
２３１  基部
２３１ａ  載置面
２３２  傾斜下延部
２３３  下延部
２３４  前延部
３１  第１締結部材
３２  第２締結部材
４０  クッション材
Ｗ  商品
【図１】
2019175199.tif 000003
【図２】
2019175199.tif 000004
【図３】
2019175199.tif 000005
【図４】
2019175199.tif 000006
【図５】
2019175199.tif 000007
【図６】
2019175199.tif 000008
【図７】
2019175199.tif 000009